(57)【要約】      （修正有）【課題】簡単な構造で、浣腸液剤が漏れず、また、浣腸液剤を定量、無駄なく注入でき、かつ、衛生的で使い捨て可能な浣腸器を提供する。【解決手段】容器口筒部５を設けた浣腸液剤を収容する蛇腹状の容器本体と、中栓と、長尺の注入用チューブ３と、注入用チューブの先端に設けた着脱可能なチューブキャップ１２とからなり、蛇腹４を圧縮することにより容器本体内の浣腸液剤を注入用チューブの先端から体腔内に注入する浣腸器において、容器本体の容器口筒部は、浣腸液剤の充填が可能な口径を有し、容器口筒部の外周外側にはネジ山６が設けられており、中栓は、容器口筒部内周に嵌着される嵌合筒７と、注入用チューブの後端に挿入される挿入筒８と、嵌合筒と挿入筒の境界部の鍔部９とからなっており、注入用チューブは、先端に浣腸液剤の噴出孔１０を有し、後端に容器口筒部の外周に螺着するキャップ１１を有している。【選択図】図１
2007252400.tif 000002
【特許請求の範囲】
【請求項１】
容器口筒部を設けた浣腸液剤を収容する蛇腹状の容器本体と、中栓と、長尺の注入用チューブと、注入用チューブの先端に設けた着脱可能なチューブキャップとからなり、蛇腹を圧縮することにより容器本体内の浣腸液剤を注入用チューブの先端から体腔内に注入する浣腸器において、容器本体の容器口筒部は、浣腸液剤の充填が可能な口径を有し、容器口筒部の外周外側にはネジ山が設けられており、中栓は、容器口筒部内周に嵌着される嵌合筒と、注入用チューブの後端に挿入される挿入筒と、嵌合筒と挿入筒の境界部の鍔部とからなっており、注入用チューブは、先端に浣腸液剤の噴出孔を有し、後端に容器口筒部の外周に螺着するキャップを有していることを特徴とする浣腸器。
【請求項２】
注入用チューブが軟質塩化ビニル樹脂からなり、中栓が高圧法低密度ポリエチレンからなり、蛇腹用容器が低密度ポリエチレンからなる請求項１記載の浣腸器。
【請求項３】
蛇腹状容器を構成する複数の蛇腹要素は、容器本体のいずれか一方の端部に向かうに従って次第に径が小さくなっており、かつそれぞれの蛇腹要素は、その頂部で交わる第１の面と第２の面とを有し、蛇腹の圧縮により第１の面は隣接する蛇腹要素の第２の面の側に反転して、圧縮力の解除によっても圧縮前の形状に復元されないように構成されている請求項１又は２記載の浣腸器。
【請求項４】
浣腸液剤が収容された請求項１〜３何れか記載の浣腸器。
【発明の詳細な説明】
【技術分野】
【０００１】
本発明は、安価で取り扱いが容易で密封性に優れた、使い捨て可能な浣腸器に関する。
【背景技術】
【０００２】
従来、病院、診療所等の医療機関では、手術前の患者に浣腸を施して、直腸や大腸にある大便を排出した後に手術を行っている。また、妊産婦が分娩する場合においても、分娩前に浣腸を施している。
【０００３】
これらの浣腸を施す場合、従来は、グリセリンの５０％水溶液を収容する注射式浣腸器を用い、直腸に注入した後、浣腸器を洗浄し、再び液を入れ、何度も繰り返し使用していた。
【０００４】
しかし、近年、エイズやＢ型肝炎等の血液感染症が問題になるに伴い、使い捨て可能な浣腸器が使用されるようになったきた。
このような浣腸器として、容器を蛇腹状にして、薬液を完全に注入し、直腸内の大便の吸い込みを防止するようにしたものが知られている（例えば、特許文献１及び特許文献２参照。）。
特許文献１には蛇腹状の容器本体を有する浣腸器が記載されている。この場合、蛇腹状容器の上部に注入用チューブを設け、容器の底部に浣腸液剤投入口を設け、浣腸液剤をこの投入口から充填する方式がとられている。そのため容器底部の開口部をアルミ箔で熱シールしたりして浣腸液剤の密封を行っているが、高価な機械が必要となったり、単に注入用チューブに容器筒状部を挿入し接着剤で接着する構造なので浣腸液剤が漏れるおそれがあった。また、特許文献２には、他の形式の蛇腹状の浣腸器が記載されている。この場合、キャップ付きの注入用チューブ（曲がりノズル）を容器の注入口に取り付けているが、キャップだけなので、浣腸液剤が漏れるおそれがあった。
【特許文献１】実開平４−１２６５５２号公報
【特許文献２】特開平８−２１５３０６号公報
【発明の開示】
【発明が解決しようとする課題】
【０００５】
本発明は、簡単な構造で、浣腸液剤が漏れず、また、浣腸液剤を定量、無駄なく注入でき、かつ、衛生的で使い捨て可能な浣腸器を提供することを目的とする。
【課題を解決するための手段】
【０００６】
すなわち本発明は、容器口筒部を設けた浣腸液剤を収容する蛇腹状の容器本体と、中栓と、長尺の注入用チューブと、注入用チューブの先端に設けた着脱可能なチューブキャップとからなり、蛇腹を圧縮することにより容器本体内の浣腸液剤を注入用チューブの先端から体腔内に注入する浣腸器において、容器本体の容器口筒部は、浣腸液剤の充填が可能な口径を有し、容器口筒部の外周外側にはネジ山が設けられており、中栓は、容器口筒部内周に嵌着される嵌合筒と、注入用チューブの後端に挿入される挿入筒と、嵌合筒と挿入筒の境界部の鍔部とからなっており、注入用チューブは、先端に浣腸液剤の噴出孔を有し、後端に容器口筒部の外周に螺着するキャップを有していることを特徴とする浣腸器に関するものである。
【発明の効果】
【０００７】
本発明によれば、グリセリン等の浣腸液剤を容器上部の容器口筒部から充填できるので充填が容易である。また、中栓は、容器口筒部と注入用チューブの後端との間に顎部が挟まれることによって固定され、中栓の嵌合筒が容器口筒部内周に嵌着し、挿入筒が注入用チューブ後端に挿入されることにより注入用チューブ後端付近の内周に密着する。その結果、容器口筒部と注入用チューブとの接合部が密封される。そして、チューブ後端に設けられたキャップの本体への螺着により、中栓外周は容器口筒部内周及び注入用チューブ後端付近内周により強く密着されるので、浣腸液剤の漏れが生じない。
また、蛇腹式の容器なので、指を圧縮したままにすると、浣腸液剤の逆流がなく、浣腸液剤を定量注入することができる。
【発明を実施するための最良の形態】
【０００８】
以下、本発明を図面に基づいて詳細に説明する。
本発明の浣腸器は、蛇腹状の容器本体１と中栓２と長尺の注入用チューブ３とからなっている。本発明の浣腸器は蛇腹４を圧縮することにより容器本体１内の液剤を注入用チューブ３の先端から体腔内に注入する。容器本体１が蛇腹状であるので浣腸液剤を定量的に容易に注入することができる。
容器本体は、ポリエチレン、ポリプロピレン、塩化ビニル等の合成樹脂により成形されている。容器本体を構成する合成樹脂は、容器本体の蛇腹が圧縮により反転し、かつ圧縮力の解除によっても体腔からの逆圧に抗して元の形状に復元しないように、適度の柔軟性、剛性、伸縮性及び弾性を有するものであることが好ましく、これらの点から低密度ポリエチレンが好ましい。
【０００９】
蛇腹状の容器本体を構成する複数の蛇腹要素は、容器本体のいずれか一方の端部に向かうに従って次第に径が小さくなっており、かつそれぞれの蛇腹要素は、その頂部で交わる第１の面と第２の面とを有し、蛇腹の圧縮により第１の面は隣接する蛇腹要素の第２の面の側に反転して、圧縮力の解除によっても圧縮前の形状に復元されないように構成することが好ましい。
容器本体の蛇腹を圧縮すると、蛇腹を構成する蛇腹要素の第１の面が隣接蛇腹要素の第２の面の側に反転し、第２の面に密着ないし近接する。これによって容器本体の内容積は減少し、容器本体内の浣腸液剤は注入用チューブを介して人体内に注入される。
【００１０】
このとき、反転した第１の面は、反転の方向に弾力性が働いているため、圧縮力の解除によっても元に戻らない。また、蛇腹要素が容器本体のいずれか一方の端部に向かうに従って次第に径が小さくなるようにすると、蛇腹要素の反転の際には、径の大きな蛇腹要素が径の小さな蛇腹要素にかぶさり、反転を確実に行うことができ、すべての蛇腹要素が重なり合うことにより、容器内の浣腸液剤をほぼ完全に注入することができる。
【００１１】
容器本体１に設けられている容器口筒部５には浣腸液剤を充填できる大きさの開口部が設けられているので、通常の容器と同様に、グリセリン等の浣腸液剤を容易に充填することができる。容器口筒部５の外周にはネジ山６が設けられている。
【００１２】
中栓２は、容器口筒部５の内周に嵌着される嵌合筒７と注入用チューブ３の後端に挿入される挿入筒８と、嵌合筒７と挿入筒８の境界部の鍔部９とからなっている。中栓は密封性の点から高圧法低密度ポリエチレンであることが好ましい。嵌合筒７は容器口筒部５に鍔部８まで嵌合される。
【００１３】
注入用チューブ３は、先端に浣腸液剤の噴出孔１０を有し、後端に容器口筒部の外周に螺着するキャップ１１を有している。注入用チューブ３の先端には着脱可能なキャップ１２が設けられている。中栓３の挿入筒８は、注入用チューブ３のチューブ部分に密着挿入されるようになっている。注入用チューブ３は好ましくは軟質塩化ビニル樹脂製のものが用いられ、後端に設けられたネジ付きのキャップ１１を容器口筒部５に鍔部９までねじ込むことにより、容器口筒部５と嵌合筒７、注入用チューブ３と挿入筒８が密着して、注入用チューブ３と容器口筒部５との接続部からの漏れを防止することができる。
注入用チューブを軟質プラスチック材料とし、中栓を硬質プラスチック材料とすると、中栓の挿入筒が注入用チューブ内周壁に押圧されてさらに漏れが防止される。
【００１４】
本発明の浣腸器は、二つの大きな部品を中栓でつなぐだけの簡単な構造なので、部品数が少なく安価に製造できる。
【実施例】
【００１５】
蛇腹容器本体を日本ポリエチレン（株）製低密度ポリエチレンＬＢ２８０、中栓を住友化学（株）製高圧法低密度ポリエチレンＧ２０１−Ｆ、注入用チューブを光陽化成（株）製軟質ポリ塩化ビニル樹脂ＦＧ６５０を用いて成形し、浣腸器を製造した。
この浣腸器１０個に浣腸液剤を充填し、段ボール箱に梱包して輸送したが、輸送中に漏れは全く生じなかった。
【図面の簡単な説明】
【００１６】
【図１】本発明の浣腸器の断面図
【符号の説明】
【００１７】
１  容器本体
２  中栓
３  注入用チューブ
４  蛇腹
５  容器口筒部
６  ネジ山
７  嵌合筒
８  挿入筒
９  鍔部
１０  噴出口
１１  キャップ
１２  キャップ
【図１】
2007252400.tif 000003